(57)【特許請求の範囲】
【請求項１】
蓋本体或いは側壁に、カード保持フラップが、フラップ本体側薄肉ヒンジ部及び蓋本体或いは側壁側薄肉ヒンジ部との２つの薄肉ヒンジ部により連結されているとともに、前記蓋本体或いは側壁と前記カード保持フラップとが一体成形されており、前記カード保持フラップには、フラップ係合ブロック用係合孔が穿設されているとともに、前記蓋本体或いは側壁には、前記フラップ係合ブロック用係合孔に係合されるフラップ係合ブロックが形成されていることを特徴とする運搬用容器。
【請求項２】
前記カード保持フラップには、フラップ位置決め孔が穿設されているとともに、前記蓋本体或いは側壁には、前記フラップ位置決め孔に嵌合されるフラップ位置決めブロックが形成されていることを特徴とする請求項１に記載の運搬用容器。
【請求項３】
前記カード保持フラップには、係止突部が形成されているとともに、前記蓋本体或いは側壁には、前記係止突部が嵌合される係止孔部が穿設されており、且つ、前記カード保持フラップには、フラップ位置決め孔が穿設されているとともに、前記蓋本体或いは側壁には、前記フラップ位置決め孔に嵌合されるフラップ位置決めブロックが形成されていることを特徴とする請求項１又は請求項２に記載の運搬用容器。
【発明の詳細な説明】
【技術分野】
【０００１】
本発明は、側壁や蓋部に保持されるカードを保持するためのカードホルダーが配設された運搬用容器に関するものである。
【背景技術】
【０００２】
従来、蓋体に形成された凹部に、カードを挿入し、その後、額縁状の弾性プラスチック製のカードホルダーを、前記凹部の側壁に形成された係合口に、カードホルダーに形成された突片を係合させることにより、蓋体に形成された凹部に、カードを保持するように構成された運搬用容器が、一例として、特許文献１に開示されている。
【先行技術文献】
【特許文献】
【０００３】
【特許文献１】特許第３９１１１７９号公報
【発明の概要】
【発明が解決しようとする課題】
【０００４】
上述した従来の運搬用容器においては、蓋体に形成された凹部の側壁に形成された係合口に、カードホルダーに形成された突片が係合されているだけであるので、カードホルダーが、蓋体から離脱するという問題があった。特に、カードホルダーは、額縁状に形成されているので、カードホルダーのポケット縁部が変形し易く、カードホルダーが、蓋体から離脱し易いという問題があった。
【０００５】
また、カードの周辺部が、カードホルダーにより、覆われてしまうので、カードの情報記憶領域が減少するとともに、カードに記憶されている情報の読み取りミスが生じる問題があった。
【０００６】
更に、蓋体に形成された凹部の側壁に形成された係合口に、カードホルダーに形成された突片を係合する際に、係合口と突片との位置合わせをしなければならず、蓋体へのカードホルダーの取り付けに、時間と手間が係るという問題があった。
【０００７】
本発明の目的は、上述した従来の発明が有する課題を解決することにある。
【課題を解決するための手段】
【０００８】
本発明は、上述した目的を達成するために、第１には、蓋本体或いは側壁に、カード保持フラップが、フラップ本体側薄肉ヒンジ部及び蓋本体或いは側壁側薄肉ヒンジ部との２つの薄肉ヒンジ部により連結されているとともに、前記蓋本体或いは側壁と前記カード保持フラップとが一体成形されており、前記カード保持フラップには、フラップ係合ブロック用係合孔が穿設されているとともに、前記蓋本体或いは側壁には、前記フラップ係合ブロック用係合孔に係合されるフラップ係合ブロックを形成したものであり、第２には、前記カード保持フラップには、フラップ位置決め孔が穿設されているとともに、前記蓋本体或いは側壁には、前記フラップ位置決め孔に嵌合されるフラップ位置決めブロックを形成しょたものであり、第３には、前記カード保持フラップには、係止突部が形成されているとともに、前記蓋本体或いは側壁には、前記係止突部が嵌合される係止孔部が穿設されており、且つ、前記カード保持フラップには、フラップ位置決め孔が穿設されているとともに、前記蓋本体或いは側壁には、前記フラップ位置決め孔に嵌合されるフラップ位置決めブロックを形成したものである。
【発明の効果】
【０００９】
蓋本体或いは側壁に、カード保持フラップを、フラップ本体側薄肉ヒンジ部及び蓋本体或いは側壁側薄肉ヒンジ部との２つの薄肉ヒンジ部により連結するとともに、蓋本体或いは側壁とカード保持フラップとを一体成形したので、カード保持フラップの蓋本体或いは側壁方向への回動を円滑に行うことができるとともに、従来のように、カード保持フラップが、蓋本体或いは側壁から離脱するというような課題を解決することができる。
【００１０】
カード保持フラップに、係止突部を形成するとともに、蓋本体或いは側壁に、前記係止突部が嵌合する係止孔部を形成したので、カードの離脱を確実に防止することができるとともに、カードの一辺付近だけが、カード保持フラップにより保持されているので、カードの情報記憶領域が拡大するとともに、カードに記憶されている情報の読み取りミスを減少することができる。
【００１１】
カード保持フラップに、フラップ係合ブロック用係合孔を穿設するとともに、蓋本体或いは側壁に、前記フラップ係合ブロック用係合孔に係合されるフラップ係合ブロックを形成したので、カード保持フラップが、蓋本体或いは側壁から離反するようなことを防止することができる。
【００１２】
カード保持フラップに、フラップ位置決め孔を穿設するとともに、蓋本体或いは側壁に、前記フラップ位置決め孔に嵌合されるフラップ位置決めブロックを形成したので、カード保持フラップと蓋本体或いは側壁との位置関係のずれを抑制することができるとともに、カード保持フラップを、蓋本体或いは側壁に重なるように回動させた際に、カード保持フラップに形成された係止突部が、蓋本体或いは側壁に穿設された係止孔部に嵌合されないような、係止突部の係止孔部への嵌合ミスを防止することができる。
【図面の簡単な説明】
【００１３】
【図１】図１は、カードホルダー付き運搬用容器を構成する蓋部材の斜視図である。
【図２】図２は、図１に示されている蓋部材の部分拡大斜視図である。
【図３】図３は、図１に示されている蓋部材の一部断面を含む部分拡大斜視図である。
【図４】図４は、同じく、図１に示されている蓋部材の一部断面を含む部分拡大斜視図である。
【図５】図５は、同じく、図１に示されている蓋部材の一部断面を含む部分拡大斜視図である。
【図６】図６は、同じく、図１に示されている蓋部材の一部断面を含む部分拡大斜視図である。
【実施例１】
【００１４】
Ｒは、種々の容器に被蓋される蓋部材であり、蓋部材Ｒは、蓋本体１と、蓋本体１と一体成形されたカード保持フラップ２とを有している。
【００１５】
蓋本体１は、平面形状が、略長方形状に形成されており、蓋本体１は、平板状部１ａと、平板状部１ａの周辺に沿って形成された土手部１ｂとを有している。本実施例においては、土手部１ｂは、相対する長辺側土手部１ｂ１と相対する短辺側土手部１ｂ２とから構成されており、相対する短辺側土手部１ｂ２のうち、一方の短辺側土手部１ｂ２の中央部には、一方の短辺側土手部１ｂ２を切り欠くことにより、カード保持フラップ２が挿入可能なフラップ挿入凹部１ｃが形成されている。フラップ挿入凹部１ｃは、相対する側部１ｃ１と、平板状部１ａと面一な底部１ｃ２とから形成されている。
【００１６】
フラップ挿入凹部１ｃを形成する底部１ｃ２のカード保持フラップ２側の端辺には、底部１ｃ２に対して垂直な上部垂直部１ｄが形成されており、また、上部垂直部１ｄの下端には、上部垂直部１ｄに対して垂直な上部水平部１ｅが形成されており、更に、上部水平部１ｅの端辺には、上部水平部１ｅに対して垂直な下部垂直部１ｆが形成されており、更にまた、下部垂直部１ｆの下端には、下部垂直部１ｆに対して垂直な下部水平部１ｇが形成されている。
【００１７】
１ｈは、フラップ挿入凹部１ｃを形成する底部１ｃ２の中央部に形成された、弾性変形可能なフラップ係合ブロックであり、フラップ係合ブロック１ｈは、底部１ｃ２に垂直な垂直部１ｈ１と、垂直部１ｈ１の上端から、カード保持フラップ２方向に延在する水平部１ｈ２とから構成されている。
【００１８】
１ｉは、フラップ係合ブロック１ｈの両側に位置する、フラップ挿入凹部１ｃを形成する底部１ｃ２に形成された一対のフラップ位置決めブロックであり、フラップ位置決めブロック１ｉの平板状部１ａ側には、水平な天部１ｉ１から、平板状部１ａに向かって下方に傾斜した傾斜部１ｉ２が形成されている。
【００１９】
１ｊは、フラップ挿入凹部１ｃの近傍に位置する平板状部１ａに穿設された係止孔部であり、係止孔部１ｊは、平面形状が円形状の係止孔１ｊ１と、係止孔１ｊ１の周辺に位置する平板状部１ａに、係止孔１ｊ１に連通する複数のスリット１ｊ２を、放射状に穿設することにより形成された複数の弾性片１ｊ３とを有している。なお、弾性片１ｊ３には、平板状部１ａから係止孔１ｊ１方向に向かって下方に延在する案内傾斜面１ｊ３’を形成することが好ましい。
【００２０】
蓋本体１には、フラップ挿入凹部１ｃの底部１ｃ２とフラップ位置決めブロック１ｉとにより、上部隅部１ｋが形成されており、また、上部垂直部１ｄと上部水平部１ｅとにより、中間隅部１ｍが形成されており、更に、下部垂直部１ｆと下部水平部１ｇとにより、下部隅部１ｎが形成されている。
【００２１】
次に、カード保持フラップ２について説明する。
【００２２】
カード保持フラップ２は、平面形状が略方形状の平板状のフラップ本体２ａと、フラップ本体２ａの蓋本体１側の端辺に、フラップ本体側薄肉ヒンジ部Ｈ１を介して連接された帯板状のフラップ位置決め部２ｂを有しており、フラップ位置決め部２ｂには、上述した蓋本体１に形成された一対のフラップ位置決めブロック１ｉが嵌合されるフラップ位置決め孔２ｂ１が穿設されている。フラップ本体側薄肉ヒンジ部Ｈ１の薄肉部ｈ１ａは、フラップ本体２ａとフラップ位置決め部２ｂとの間に、Ｖ字状の溝部を成形することにより形成されている。また、フラップ本体２ａの中央部とフラップ位置決め部２ｂの中央部との間には、上述した蓋本体１に形成されたフラップ係合ブロック１ｈが係合されるフラップ係合ブロック用係合孔２ｃが穿設されている。
【００２３】
フラップ位置決め部２ｂの蓋本体１側の端辺には、フラップ位置決め部２ｂに対して上方に垂直に延在するフラップ本体側垂直部２ｄが形成されており、また、フラップ本体側垂直部２ｄの上端からは、蓋本体１方向に水平に延在する水平部２ｅが形成されており、更に、水平部２ｅの端辺には、水平部２ｅに対して上方に垂直に延在する蓋本体側垂直部２ｆが形成されている。
【００２４】
蓋本体１とカード保持フラップ２とは、上述したカード保持フラップ２に形成された蓋本体側垂直部２ｆと、蓋本体１の下部水平部１ｇとの間に形成された蓋本体側薄肉ヒンジ部Ｈ２を介して連接されており、蓋本体側薄肉ヒンジ部Ｈ２の薄肉部ｈ２ａは、カード保持フラップ２に形成された蓋本体側垂直部２ｆと蓋本体１の下部水平部１ｇとの間に、逆Ｖ字状の溝部を成形することにより形成されている。
【００２５】
また、フラップ位置決め部２ｂのフラップ係合ブロック係合孔２ｃ側には、上部角部２ｇが形成されており、また、フラップ本体側垂直部２ｄと水平部２ｅとにより、中間角部２ｈが形成されており、更に、蓋本体側垂直部２ｆの蓋本体側薄肉ヒンジ部Ｈ２側の角部には、上部角部２ｉが形成されている。
【００２６】
２ｋは、カード保持フラップ２のフラップ本体２ａの下面（カード保持フラップ２を、蓋本体１に重ねた際に、下方に位置する面）２ａ１に形成された係止突部であり、係止突部２ｋは、フラップ本体２ａに垂直な円柱部２ｋ１と、円柱部２ｋ１の先端に形成された膨出部２ｋ２とから、略茸状に形成されている。膨出部２ｋ２の外径は、上述した平板状部１ａに穿設された係止孔部１ｊの内径より大きく形成されている。
【００２７】
次に、図４〜図６を用いて、蓋部材Ｒへのカードの取り付けについて説明する。
【００２８】
図３に示されているように、蓋部材Ｒを構成する蓋本体１とカード保持フラップ２とが共に略水平な状態から、蓋本体側薄肉ヒンジ部Ｈ２を中心に、カード保持フラップ２が、蓋本体１に重なるように回動させると、カード保持フラップ２が、蓋本体１に形成されたフラップ挿入凹部１ｃに挿入されるとともに、カード保持フラップ２に形成された上部角部２ｉが、蓋本体１に形成された下部隅部１ｎに嵌合され、また、カード保持フラップ２に形成された中間角部２ｈが、蓋本体１に形成された中間隅部１ｍに嵌合され、更に、カード保持フラップ２に形成された上部角部２ｇが、蓋本体１に形成された上部隅部１ｋに嵌合されるように構成されている。このように構成することにより、カード保持フラップ２の蓋本体１方向への移動等を抑制することができるとともに、カード保持フラップ２が移動することによるフラップ本体側薄肉ヒンジ部Ｈ１へ負荷を低減することができる。
【００２９】
また、上述したように、蓋部材Ｒを構成する蓋本体１とカード保持フラップ２とが共に略水平な状態から、蓋本体側薄肉ヒンジ部Ｈ２を中心に、カード保持フラップ２が、蓋本体１に重なるように回動させると、カード保持フラップ２のフラップ位置決め部２ｂに穿設されたフラップ位置決め孔２ｂ１に、蓋本体１に形成されたフラップ位置決めブロック１ｉが嵌合され、更に、カード保持フラップ２に形成されたフラップ係合ブロック用係合孔２ｃに、蓋本体１に形成されたフラップ係合ブロック１ｈが嵌合されるように構成されている。
【００３０】
上述したカード保持フラップ２の蓋本体１方向の回動過程において、カード保持フラップ２に形成されたフラップ係合ブロック用係合孔２ｃに、蓋本体１に形成された弾性変形可能なフラップ係合ブロック１ｈを嵌合させる際には、フラップ係合ブロック１ｈを、強制的に弾性変形させて、フラップ係合ブロック用係合孔２ｃに、フラップ係合ブロック１ｈを強制的に嵌合させ、フラップ係合ブロック１ｈが、その弾性復元力により、元の位置に戻った際には、図５に示されているように、フラップ係合ブロック１ｈの水平部１ｈ２の下方に、フラップ係合ブロック用係合孔２ｃの近傍に位置するフラップ位置決め部２ｂが位置するように構成されている。このように構成することにより、フラップ係合ブロック１ｈが、フラップ係合ブロック用係合孔２ｃから、簡単に排出することを防止することができ、従って、カード保持フラップ２が、蓋本体１から離反するようなことを防止することができる。
【００３１】
また、上述したように、カード保持フラップ２のフラップ位置決め部２ｂに穿設されたフラップ位置決め孔２ｂ１に、蓋本体１に形成されたフラップ位置決めブロック１ｉが嵌合されるように構成されているので、フラップ位置決め部２ｂと蓋本体１との位置関係のずれを抑制することができ、従って、図６に示されているように、カード保持フラップ２が略垂直な状態から、図５に示されているように、カード保持フラップ２を、蓋本体１の平板状部１ａに重なるように回動させた際に、カード保持フラップ２に形成された係止突部２ｋが、蓋本体１に形成された係止孔部１ｊに嵌合されないような、係止突部２ｋの係止孔部１ｊへの嵌合ミスを防止することができる。
【００３２】
更に、カード保持フラップ２が、蓋本体１に重なるように配置された際には、カード保持フラップ２に形成された係止突部２ｋが、蓋本体１に形成された係止孔部１ｊに嵌合されるように構成されているが、係止突部２ｋの膨出部２ｋ２の外径が、係止孔部１ｊの内径より大きく形成されているので、係止突部２ｋが係止孔部１ｊに嵌合される際には、係止突部２ｋの膨出部２ｋ２が、係止孔部１ｊの周囲に形成された弾性片１ｊ３を、下方に弾性変形させて、係止突部２ｋの膨出部２ｋ２を、強制的に、係止孔部１ｊに嵌合させることになる。係止突部２ｋの膨出部２ｋ２の係止孔部１ｊへの嵌合後、係止突部２ｋの膨出部２ｋ２が、その弾性復元力により、元の位置に戻ることにより、図５に示されているように、係止突部２ｋの膨出部２ｋ２が、係止孔部１ｊの周囲に形成された弾性片１ｊ３の下方に位置し、カード保持フラップ２が、蓋本体１から、容易に、離反するようなことを防止することができる。
【００３３】
更にまた、カード保持フラップ２の先端部には、カード保持フラップ２が水平状態において、フラップ本体２ａの下面２ａ１から下方に傾斜する、帯板状のフラップ位置決め部２ｂに略平行な帯状傾斜部２’が形成されている。カード保持フラップ２が、蓋本体１に重なるように配置された際には、蓋本体１とカード保持フラップ２の帯状傾斜部２’との間には、指が挿入可能な楔状の間隙Ｄが形成されるように構成されている。
【００３４】
また、カード保持フラップ２を、蓋本体１から離反させるには、蓋本体１とカード保持フラップ２の帯状傾斜部２’との間に形成された楔状の間隙Ｄに、指を入れて、カード保持フラップ２を、フラップ本体側薄肉ヒンジ部Ｈ１を中心に、カード保持フラップ２が、蓋本体１から離反する方向に回動させることになる。この際には．カード保持フラップ２に形成された係止突部２ｋの膨出部２ｋ２が、強制的に、蓋本体１に形成された係止孔部１ｊの周囲に形成された弾性片１ｊ３を、上方に弾性変形させることにより、カード保持フラップ２を、蓋本体１から離反させることができるように構成されている。
【００３５】
上述したようにして、図４に示されているように、蓋本体１に重なるように、カード保持フラップ２を取り付けた後は、カード保持フラップ２を、フラップ本体側薄肉ヒンジ部Ｈ１を中心に、蓋本体１から離反する方向に回動させて、カード保持フラップ２に形成された係止突部２ｋを、蓋本体１に形成された係止孔部１ｊから抜去させて、カード保持フラップ２を、図６に示されているように、略垂直に立て、この状態で、後述するように、蓋本体１に、カードＣを配置し、その後、カード保持フラップ２を、フラップ本体側薄肉ヒンジ部Ｈ１を中心に、蓋本体１方向に回動させ、カード保持フラップ２に形成された係止突部２ｋを、蓋本体１に形成された係止孔部１ｊに嵌合させることにより、カードＣを、蓋部材Ｒに取り付けるように構成されている。
【００３６】
カードＣを、蓋部材Ｒに取り付けるには、図６に示されているように、カード保持フラップ２が略垂直な状態において、蓋本体１の土手部１ｂに囲まれた平板状部１ａに、カードＣを載置するとともに、蓋本体１の平板状部１ａに穿設された係止孔部１ｊとカードＣに穿設された透孔ｃ１とを一致させておく。その後、略垂直に立てられた状態のカード保持フラップ２を、上述したように、フラップ本体側薄肉ヒンジ部Ｈ１を中心に、蓋本体１の平板状部１ａ方向に回動させることにより、カード保持フラップ２に形成された係止突部２ｋを、カードＣの透孔ｃ１及び蓋本体１の平板状部１ａに穿設された係止孔部１ｊに嵌合することにより、蓋本体１の平板状部１ａに載置されたカードＣを、カード保持フラップ２により保持することができるように構成されている。
【００３７】
上述したように、カード保持フラップ２に形成された係止突部２ｋを、カードＣの透孔ｃ１及び蓋本体１の平板状部１ａに穿設された係止孔部１ｊに嵌合することにより、蓋本体１の平板状部１ａに載置されたカードＣを、カード保持フラップ２により保持するように構成したので、カードＣの蓋部材Ｒからの離脱を確実に防止することができる。
【００３８】
また、蓋本体１とカード保持フラップ２とが一体成形されているので、従来のように、カードホルダーが、蓋本体から離脱するというような課題を解決することができるとともに、別体に形成されているカードホルダーと蓋本体との部品管理作業を軽減することができる。
【００３９】
更に、カードＣは、カード保持フラップ２により、一辺付近だけが保持されているので、カードの情報記憶領域が拡大するとともに、カードに記憶されている情報の読み取りミスを減少することができる。
【００４０】
更にまた、蓋本体１とカード保持フラップ２とが、フラップ本体側薄肉ヒンジ部Ｈ１と蓋本体側薄肉ヒンジ部Ｈ２との２つの薄肉ヒンジ部により連結されているので、略水平状態のカード保持フラップ２の蓋本体１方向への回動を円滑に行うことができる。
【００４１】
なお、カードＣとして、紙製のカードを使用した際には、カードＣに、必ずしも、透孔ｃ１を穿設しておくことなく、カード保持フラップ２に形成された係止突部２ｋを、蓋本体１の平板状部１ａに穿設された係止孔部１ｊに嵌合する際に、係止突部２ｋにより、紙製のカードＣを突き破ることにより、蓋本体１に、カード保持フラップ２により、紙製のカードＣを、保持するように構成することもできる。
【００４２】
上述した実施例においては、蓋本体１とカード保持フラップ２とを、フラップ本体側薄肉ヒンジ部Ｈ１と蓋本体側薄肉ヒンジ部Ｈ２との２つの薄肉ヒンジ部により連結するとともに、蓋本体１とカード保持フラップ２とを、一体成形した例が示されているが、運搬用容器の側壁に、上述したカード保持フラップ２を、同様のフラップ本体側薄肉ヒンジ部Ｈ１と側壁側薄肉ヒンジ部Ｈ２との２つの薄肉ヒンジ部により連結するとともに、側壁とカード保持フラップ２とを、一体成形するように構成することもできる。
【符号の説明】
【００４３】
Ｒ・・・・・・・・・・・蓋部材
Ｈ１・・・・・・・・・・フラップ本体側薄肉ヒンジ部
Ｈ２・・・・・・・・・・蓋本体側薄肉ヒンジ部
１・・・・・・・・・・・蓋本体
１ｈ・・・・・・・・・・フラップ係合ブロック
１ｉ・・・・・・・・・・フラップ位置決めブロック
１ｊ・・・・・・・・・・係止孔部
２・・・・・・・・・・・カード保持フラップ
２ｂ・・・・・・・・・・フラップ位置決め部
２ｂ１・・・・・・・・・フラップ位置決め孔
２ｃ・・・・・・・・・・フラップ係合ブロック用係合孔
２ｋ・・・・・・・・・・係止突部
【図１】
0005410394.tif 000002
【図２】
0005410394.tif 000003
【図３】
0005410394.tif 000004
【図４】
0005410394.tif 000005
【図５】
0005410394.tif 000006
【図６】
0005410394.tif 000007